(57)【要約】【課題】接続されるメディア間で迅速にデータを処理できるオーディオ装置、オーディオ装置の制御方法、及びプログラムを提供する。【解決手段】オーディオ装置１００は、パソコン４００との接続を検知するインタフェース２０と、任意のコンテンツを記憶する外部の記憶媒体２００，３００と接続するＵＳＢハブ１０と、ＵＳＢハブ１０が接続する記憶媒体２００，３００が記憶するコンテンツを処理するＤＳＰ４０と、インタフェース２０がパソコン４００との接続を検知した場合に、ＤＳＰ４０に替わってパソコン４００が、記憶媒体２００，３００が記憶するコンテンツを処理するように切換部３０を制御して切り換えを行うホストマイコン７０と、を備える。【選択図】図１
2009181684.tif 000002
【特許請求の範囲】
【請求項１】
外部の情報処理装置と接続する第１の接続手段と、
前記第１の接続手段と前記情報処理装置との接続を検知する検知手段と、
任意のコンテンツを記憶する外部の記憶媒体と接続する第２の接続手段と、
前記第１の接続手段と前記第２の接続手段とを結ぶ第１の経路と、
前記コンテンツを読み込んで処理する処理手段と、
前記第２の接続手段と前記処理手段とを結ぶ第２の経路と、
前記第１の経路と前記第２の経路とを切り換える切換手段と、
前記検知手段が前記情報処理装置と前記第１の接続手段との接続を検知した場合に、前記切換手段を制御して前記第２の経路から前記第１の経路に切り換え、前記情報処理装置が前記コンテンツを読み込んで処理することを可能にする制御手段と、を備える、
ことを特徴とするオーディオ装置。
【請求項２】
前記第１の経路は、
前記情報処理装置が任意のコンテンツを記憶する記憶手段を備えている場合に、さらに当該記憶手段を結び、
前記情報処理装置による前記第１の経路を介する前記記憶手段及び前記記憶媒体が記憶するコンテンツの読み込み及び処理を仲介し、
前記第２の経路は、さらに前記記憶手段を結び、前記記憶手段及び前記記憶媒体が記憶するコンテンツの前記処理手段による読み込み及び処理を仲介する、
ことを特徴とする請求項１に記載のオーディオ装置。
【請求項３】
前記第２の接続手段は、一又は複数の前記記憶媒体を接続し、
前記第１の経路は、前記情報処理装置による前記記憶手段及び一又は複数の前記記憶媒体が記憶するコンテンツの読み込み及び処理を仲介し、
前記第２の経路は、前記記憶手段及び一又は複数の前記記憶媒体が記憶するコンテンツの前記処理手段による読み込み及び処理を仲介する、
ことを特徴とする請求項２に記載のオーディオ装置。
【請求項４】
前記情報処理装置の性能を示す性能値を取得する取得手段をさらに備え、
前記制御手段は、
前記検知手段が前記情報処理装置との接続を検知し、前記取得手段が取得した前記情報処理装置の性能値が所定値以上である場合に、前記切換手段を制御して前記第２の経路から前記第１の経路に切り換える、
ことを特徴とする請求項１乃至３の何れか１項に記載のオーディオ装置。
【請求項５】
任意のコンテンツを記憶する外部の記憶媒体と接続する接続手段と、当該接続手段が接続する記憶媒体が記憶するコンテンツを処理する処理手段とを備え、且つ、外部の情報処理装置に接続可能であるオーディオ装置の制御方法であって、
前記情報処理装置との接続を検知する検知ステップと、
前記検知ステップで前記情報処理装置との接続を検知した場合に、前記処理手段と前記接続手段とを結ぶ経路から、前記情報処理装置と前記接続手段とを結ぶ経路に切り換えを行う制御ステップと、を備える、
ことを特徴とするオーディオ装置の制御方法。
【請求項６】
任意のコンテンツを記憶する外部の記憶媒体と接続する接続手段を備え、且つ、外部の情報処理装置に接続可能であるオーディオ装置が備えるコンピュータを、
前記情報処理装置との接続を検知する検知手段、
前記接続手段が接続する記憶媒体が記憶するコンテンツを処理する処理手段、
前記検知手段が前記情報処理装置との接続を検知した場合に、前記処理手段と前記接続手段とを結ぶ経路から、前記情報処理装置と前記接続手段とを結ぶ経路に切り換えを行う制御手段、
として機能させることを特徴とするプログラム。
【発明の詳細な説明】
【技術分野】
【０００１】
本発明は、複数の装置間でコンテンツの処理を行うオーディオ装置、オーディオ装置の制御方法、及びプログラムに関する。
【背景技術】
【０００２】
現在、パソコン等の外部コンピュータに接続可能なオーディオ装置が商品化されている（例えば、特許文献１参照）。
【０００３】
また、外部コンピュータに加えて、さらにＵＳＢ（Universal Serial Bus）メモリやＳＤカード等の複数のリムーバブルメディアを接続して、それらに格納されているコンテンツを再生したり、それらのメディア間でコンテンツの転送を行ったりすることができるオーディオ装置も商品化されている。
【特許文献１】特開２００３−１９６９１８号公報
【発明の開示】
【発明が解決しようとする課題】
【０００４】
しかし、上記のオーディオ装置が備えるＣＰＵ（Central Processing Unit）等の処理速度は低速であることが多い。そのため、接続される複数のメディア間で、コンテンツデータを転送する場合に、時間が掛かるという問題があった。
本発明は、上記問題点に鑑みてなされたもので、接続されるメディアのデータを迅速に処理できるオーディオ装置、オーディオ装置の制御方法、及びプログラムを提供することを目的とする。
【課題を解決するための手段】
【０００５】
上記目的を達成するために、本発明の第１の観点に係るオーディオ装置は、
外部の情報処理装置と接続する第１の接続手段と、
前記第１の接続手段と前記情報処理装置との接続を検知する検知手段と、
任意のコンテンツを記憶する外部の記憶媒体と接続する第２の接続手段と、
前記第１の接続手段と前記第２の接続手段とを結ぶ第１の経路と、
前記コンテンツを読み込んで処理する処理手段と、
前記第２の接続手段と前記処理手段とを結ぶ第２の経路と、
前記第１の経路と前記第２の経路とを切り換える切換手段と、
前記検知手段が前記情報処理装置と前記第１の接続手段との接続を検知した場合に、前記切換手段を制御して前記第２の経路から前記第１の経路に切り換え、前記情報処理装置が前記コンテンツを読み込んで処理することを可能にする制御手段と、を備える、
ことを特徴とする。
【０００６】
例えば、前記第１の経路は、
前記情報処理装置が任意のコンテンツを記憶する記憶手段を備えている場合に、さらに当該記憶手段を結び、
前記情報処理装置による前記第１の経路を介する前記記憶手段及び前記記憶媒体が記憶するコンテンツの読み込み及び処理を仲介し、
前記第２の経路は、さらに前記記憶手段を結び、前記記憶手段及び前記記憶媒体が記憶するコンテンツの前記処理手段による読み込み及び処理を仲介してもよい。
【０００７】
例えば、前記第２の接続手段は、一又は複数の前記記憶媒体を接続し、
前記第１の経路は、前記情報処理装置による前記記憶手段及び一又は複数の前記記憶媒体が記憶するコンテンツの読み込み及び処理を仲介し、
前記第２の経路は、前記記憶手段及び一又は複数の前記記憶媒体が記憶するコンテンツの前記処理手段による読み込み及び処理を仲介してもよい。
【０００８】
例えば、前記情報処理装置の性能を示す性能値を取得する取得手段をさらに備え、
前記制御手段は、
前記検知手段が前記情報処理装置との接続を検知し、前記取得手段が取得した前記情報処理装置の性能値が所定値以上である場合に、前記切換手段を制御して前記第２の経路から前記第１の経路に切り換えてもよい。
【０００９】
本発明の第２の観点に係るオーディオ装置の制御方法は、
任意のコンテンツを記憶する外部の記憶媒体と接続する接続手段と、当該接続手段が接続する記憶媒体が記憶するコンテンツを処理する処理手段とを備え、且つ、外部の情報処理装置に接続可能であるオーディオ装置の制御方法であって、
前記情報処理装置との接続を検知する検知ステップと、
前記検知ステップで前記情報処理装置との接続を検知した場合に、前記処理手段と前記接続手段とを結ぶ経路から、前記情報処理装置と前記接続手段とを結ぶ経路に切り換えを行う制御ステップと、を備える、
ことを特徴とする。
【００１０】
本発明の第３の観点に係るプログラムは、
任意のコンテンツを記憶する外部の記憶媒体と接続する接続手段を備え、且つ、外部の情報処理装置に接続可能であるオーディオ装置が備えるコンピュータを、
前記情報処理装置との接続を検知する検知手段、
前記接続手段が接続する記憶媒体が記憶するコンテンツを処理する処理手段、
前記検知手段が前記情報処理装置との接続を検知した場合に、前記処理手段と前記接続手段とを結ぶ経路から、前記情報処理装置と前記接続手段とを結ぶ経路に切り換えを行う制御手段、
として機能させることを特徴とする。
【発明の効果】
【００１１】
本発明によるオーディオ装置は、接続されるメディア間で迅速にデータを処理できる。
【発明を実施するための最良の形態】
【００１２】
（第１の実施形態）
以下、本発明の第１の実施形態に係るオーディオ装置１００について説明する。オーディオ装置１００は、複数の外部装置と接続し、それらに格納されるコンテンツを再生したり、それらのメディア間でコンテンツの転送を行ったりする。
オーディオ装置１００は、図１に示すように、ＵＳＢハブ１０と、インタフェース２０と、切換部３０と、デジタルシグナルプロセッサ（以下、ＤＳＰ）４０と、ＤＳＰ４０により実現されるＵＳＢホストコントローラ４１、Ｄ／Ａ変換部５０と、スピーカ６０と、ホストマイコン７０とを備える。
【００１３】
ＵＳＢハブ１０は、複数のポートを備え、ポートに接続された第１の記録媒体２００や第２の記録媒体３００等の外部装置とオーディオ装置１００との通信をＵＳＢホストコントローラ４１により制御される。
【００１４】
インタフェース２０は、パソコン４００と接続可能であり、パソコン４００とオーディオ装置１００との通信を仲介する。また、インタフェース２０は、パソコン４００との接続及び接続解除を検出し、その検出をホストマイコン７０に報知する。
【００１５】
切換部３０は、ホストマイコン７０の制御のもと、ＵＳＢハブ１０のポートに接続された外部装置の制御をＤＳＰ４０からパソコン４００に、又はパソコン４００からＤＳＰ４０に切り換える。
切換部３０は、図２に示すように、スイッチ３１とスイッチ３２とを備える。
スイッチ３１がオンで、スイッチ３２がオフの場合には、ＤＳＰ４０が、ＵＳＢハブ１０のポートに接続された外部装置の制御を行う。
スイッチ３１がオフで、スイッチ３２がオンで、且つ、パソコン４００がインタフェース２０に接続されている場合には、パソコン４００が、ＵＳＢハブ１０のポートに接続された外部装置の制御を行う。
【００１６】
デジタルシグナルプロセッサ４０は、音声や画像などのデジタル信号の処理を行うマイクロプロセッサであり、ＵＳＢハブ１０のポートに接続された外部装置が記憶するコンテンツの再生、又は、それらの装置間のデータの転送等の処理を行う。
ＤＳＰ４０は、図３に示すように、ＵＳＢホストコントローラ４１と、ファイルシステム４２と、デコーダ・エンコーダ４３と、サンプリング周波数変換部（以下、ＳＲＣ）４４と、オーディオインタフェース４５とを備える。
【００１７】
ＵＳＢホストコントローラ４１は、接続された外部ＵＳＢ機器（第１の記憶媒体２００及び第２の記憶媒体３００）を記憶装置として認識し制御する、つまり、ＵＳＢマスストレージクラスで制御する汎用のドライバプログラムであり、それらの装置とファイルシステム４２との間のデータの通信を制御する。
【００１８】
ファイルシステム４２は、ファイルの管理を行うプログラムであり、ＵＳＢホストドライバ４１を使用して、外部ＵＳＢ機器とデータの通信を行う。
【００１９】
デコーダ・エンコーダ４３は、ファイルシステム４２が管理するデータの復号化を行い、ＳＲＣ４４に供給する。また、デコーダ・エンコーダ４３は、ファイルシステム４２が管理するデータの符号化を行い、ホストマイコン７０等に供給する。
【００２０】
サンプリング周波数変換部４４は、デコーダ・エンコーダ４３より供給された信号のサンプリング周波数を変換して、変換した信号をオーディオインタフェース４５に供給する。
【００２１】
オーディオインタフェース４５は、ＳＲＣ４４より供給された信号をＤ／Ａ変換部５０に供給する。
【００２２】
Ｄ／Ａ変換部５０は、ＤＳＰ４０より供給されたデジタル信号をアナログ信号に変換し、変換したアナログ信号を復調し、スピーカ６０に復調信号を供給する。
【００２３】
スピーカ６０は、Ｄ／Ａ変換部５０より供給された復調信号を音声信号として出力する。
【００２４】
ホストマイコン７０は、ＣＰＵ（Central Processing Unit）等であり、ＤＳＰ４０と切換部３０とを制御する。
ホストマイコン７０は、インタフェース２０よりパソコン４００の接続又は接続解除の検出報知を受けると、切換部３０を制御して、ＵＳＢハブ１０のポートに接続されている外部装置の制御を、ＤＳＰ４０からパソコン４００に、又はパソコン４００からＤＳＰ４０に切り換える。
【００２５】
第１の記録媒体２００及び第２の記録媒体３００は、ＵＳＢ端子を用いてオーディオ装置１００と接続されるＵＳＢ（Universal Serial Bus）メモリやＳＤカード等のリムーバブルメディアである。
【００２６】
以下、上記構成のオーディオ装置１００の動作を説明する。
【００２７】
オーディオ装置１００は、インタフェース２０よりパソコン４００の接続の検出報知を受けると、切換部３０を制御して、スイッチ３１をオフにスイッチ３２をオンにし、ＵＳＢハブ１０のポートに接続されている外部装置の制御を、ＤＳＰ４０からパソコン４００に切り換える。
このことによって、パソコン４００は、ＵＳＢハブ１０のポートに接続されている外部装置とパソコン４００との少なくとも二つの間で、データの処理を行うことができる。
例えば、パソコン４００が制御することによって、第１の記憶媒体２００又は第２の記憶媒体３００が格納するコンテンツデータを互いに転送することができる。また、パソコン４００が制御することによって、パソコン４００自体が格納するコンテンツデータを第１の記憶媒体２００又は第２の記憶媒体３００に転送することができる。また、パソコン４００が制御することによって、第１の記憶媒体２００又は第２の記憶媒体３００に格納されるコンテンツデータをパソコン４００に転送することができる。
パソコン４００が制御することによって、外部装置間の処理を迅速に行うことができる。
【００２８】
オーディオ装置１００は、インタフェース２０よりパソコン４００の接続解除の検出報知を受けると、切換部３０を制御して、スイッチ３１をオンにスイッチ３２をオフにし、ＵＳＢハブ１０のポートに接続されている外部装置の制御を、パソコン４００からＤＳＰ４０に切り換える。
【００２９】
次に、本発明の第１の実施形態に係るオーディオ装置１００が行う制御の切り換え処理を、図４のフローチャートを参照して詳細に説明する。
【００３０】
電源が投入されると、ホストマイコン７０は、パソコン４００の接続が検出されたか否かを判別する（ステップＳ１０１）。
【００３１】
パソコン４００の接続が検出されていないと判別すると（Ｓ１０１；ＮＯ）、ホストマイコン７０は、処理を再びステップＳ１０１に戻す。
【００３２】
パソコン４００の接続が検出されたと判別すると（Ｓ１０１；ＹＥＳ）、ホストマイコン７０は、切換部３０を制御して、スイッチ３１をオフにスイッチ３２をオンにし、ＵＳＢハブ１０のポートに接続されている外部装置の制御を、ＤＳＰ４０からパソコン４００に切り換える（ステップＳ１０２）。
切換部３０は、ステップ１０２において外部装置の制御を切り換える際、ＵＳＢのＶｂｕｓへの電源供給を停止した状態でスイッチ３１を切り換え、切り換えた後にＶｂｕｓに電圧を供給する。その後ＵＳＢホストコントローラ４１のリセットを行う。
このようにして、電源が投入されてからパソコン４００の接続が検出されるまでは、ＵＳＢハブ１０のポートに接続されている外部装置（第１の記憶媒体２００及び第２の記憶媒体３００）は、ＤＳＰ４０により制御される。
【００３３】
次に、ホストマイコン７０は、パソコン４００の接続解除が検出されたか否かを判別する（ステップＳ１０３）。
【００３４】
パソコン４００の接続解除が検出されていないと判別すると（Ｓ１０３；ＮＯ）、ホストマイコン７０は、処理を再びステップＳ１０３に戻す。
【００３５】
パソコン４００の接続解除が検出されたと判別すると（Ｓ１０３；ＹＥＳ）、ホストマイコン７０は、切換部３０を制御して、スイッチ３１をオンにスイッチ３２をオフにし、ＵＳＢハブ１０のポートに接続されている外部装置の制御を、パソコン４００からＤＳＰ４０に切り換え（ステップＳ１０４）、処理をステップＳ１０１に戻す。
このようにして、パソコン４００の接続が検出されてから接続解除が検出されるまでは、ＵＳＢハブ１０のポートに接続されている外部装置（第１の記憶媒体２００及び第２の記憶媒体３００）は、パソコン４００により制御される。
【００３６】
以上、制御の切り換え処理によれば、パソコン４００がオーディオ装置１００に接続された場合には、パソコン４００が、ＵＳＢハブ１０のポートに接続されている外部装置が格納するデータの処理を行う。
したがって、処理速度が遅いＤＳＰ４０が処理を行う場合よりも、迅速に処理を行うことができる。
【００３７】
（第２の実施形態）
第１の実施形態においては、パソコン４００は、ＵＳＢ端子以外の端子によりオーディオ装置１００と接続したが、ＵＳＢ端子を使用してオーディオ装置１００と接続するようにしてもよい。
【００３８】
第２の実施形態に係るオーディオ装置１００’は、図５に示すように、ＵＳＢハブ１０’と、ＤＳＰ４０と、Ｄ／Ａ変換部５０と、スピーカ６０と、ホストマイコン７０とを備える。
【００３９】
ＵＳＢハブ１０’は、複数のポートを備え、ポートに接続された第１の記録媒体２００や第２の記録媒体３００やパソコン４００等の外部装置とオーディオ装置１００との通信を制御する。
また、ＵＳＢハブ１０’は、パソコン４００との接続及び接続解除を検出し、その検出をホストマイコン７０に報知する。
また、ＵＳＢハブ１０’は、ホストマイコン７０の制御のもと、ＵＳＢハブ１０のポートに接続された外部装置の制御をＤＳＰ４０からパソコン４００に、又はパソコン４００からＤＳＰ４０に切り換える。
【００４０】
ＵＳＢハブ１０’は、図６に示すように、スイッチ１１’とスイッチ１２’とスイッチ１３’とスイッチ１４’とを備える。
【００４１】
スイッチ１１’とスイッチ１２’とスイッチ１４’がオンで、スイッチ１３’がオフの場合には、ＤＳＰ４０が、ＵＳＢハブ１０のポートに接続された外部装置の制御を行う。
スイッチ１４’がオフで、スイッチ１１’とスイッチ１２’とスイッチ１３’とがオンの場合には、パソコン４００が、ＵＳＢハブ１０のポートに接続された外部装置の制御を行う。
【００４２】
ホストマイコン７０は、ＵＳＢハブ１０’よりパソコン４００の接続又は接続解除の検出報知を受けると、ＵＳＢハブ１０’を制御して、ＵＳＢハブ１０のポートに接続されている外部装置の制御を、ＤＳＰ４０からパソコン４００に、又はパソコン４００からＤＳＰ４０に切り換える。
【００４３】
以上、第２の実施形態に係るオーディオ装置１００’は、ＵＳＢ端子及びコネクタを使用することによって、パソコン専用のコネクタを設けることなく、パソコン４００の制御によって、ＵＳＢハブ１０のポートに接続されている外部装置が格納するデータの処理を行うことができる。
【００４４】
（第３の実施形態）
第１及び第２の実施形態においては、オーディオ装置は、パソコンの接続を検出した場合に、ＵＳＢハブ１０のポートに接続されている外部装置の制御を、ＤＳＰ４０からパソコン４００に切り換えた。しかし、第３の実施形態においては、オーディオ装置は、パソコンの接続を検出し、接続されたパソコンの性能を示す数値（例えば、ＣＰＵのクロック周波数など）が所定値以上の場合に、ＵＳＢハブ１０のポートに接続されている外部装置の制御を、ＤＳＰ４０からパソコン４００に切り換えてもよい。
なお、第３の実施形態に係るオーディオ装置は、第１の実施形態又は第２の実施形態と同様である。
【００４５】
ここで、本発明の第３の実施形態に係るオーディオ装置１００又は１００’が行う制御の切り換え処理を、図７のフローチャートを参照して詳細に説明する。
【００４６】
電源が投入されると、ホストマイコン７０は、パソコン４００の接続が検出されたか否かを判別する（ステップＳ２０１）。
【００４７】
パソコン４００の接続が検出されていないと判別すると（Ｓ２０１；ＮＯ）、ホストマイコン７０は、処理を再びステップＳ２０１に戻す。
【００４８】
パソコン４００の接続が検出されたと判別すると（Ｓ２０１；ＹＥＳ）、ホストマイコン７０は、接続されたパソコン４００の性能を示す数値を取得し、その数値が所定の閾値以上であるか否かを判別する（ステップＳ２０２）。
【００４９】
接続されたパソコン４００の性能を示す数値が所定の閾値未満であると判別すると（Ｓ２０２；ＮＯ）、ホストマイコン７０は、処理をステップＳ２０１に戻す。
【００５０】
接続されたパソコン４００の性能を示す数値が所定の閾値以上であると判別すると（Ｓ２０２；ＹＥＳ）、ホストマイコン７０は、切換部３０又はＵＳＢハブ１０’を制御して、ＵＳＢハブ１０又は１０’のポートに接続されている外部装置の制御を、ＤＳＰ４０からパソコン４００に切り換える（ステップＳ２０３）。
このようにして、電源が投入されてからパソコン４００の接続が検出されるまでは、ＵＳＢハブ１０又は１０’のポートに接続されている外部装置（第１の記憶媒体２００及び第２の記憶媒体３００）は、ＤＳＰ４０により制御される。
【００５１】
次に、ホストマイコン７０は、パソコン４００の接続解除が検出されたか否かを判別する（ステップＳ２０４）。
【００５２】
パソコン４００の接続解除が検出されていないと判別すると（Ｓ２０４；ＮＯ）、ホストマイコン７０は、処理を再びステップＳ２０４に戻す。
【００５３】
パソコン４００の接続解除が検出されたと判別すると（Ｓ２０４；ＹＥＳ）、ホストマイコン７０は、切換部３０又はＵＳＢハブ１０’を制御して、ＵＳＢハブ１０又は１０’のポートに接続されている外部装置の制御を、パソコン４００からＤＳＰ４０に切り換え（ステップＳ２０５）、処理をステップＳ２０１に戻す。
このようにして、パソコン４００の接続が検出されてから接続解除が検出されるまでは、ＵＳＢハブ１０のポートに接続されている外部装置（第１の記憶媒体２００及び第２の記憶媒体３００）は、パソコン４００により制御される。
【００５４】
以上、第３の実施形態における制御の切り換え処理によれば、オーディオ装置１００，１００’は、パソコン４００の性能に応じて、ＵＳＢハブ１０又は１０’のポートに接続されている外部装置の制御を切り換えることができる。
【００５５】
なお、本発明は上記実施形態に限定されず、種々の応用及び変形が可能である。
【００５６】
上記実施形態では、第１の記憶媒体２００と第２の記憶媒体３００とは、ＵＳＢメモリやＳＤメモリ等のリムーバブルメディアであったが、パソコン４００以外のコンピュータに内蔵されるハードディスクやメモリであってもよい。
【００５７】
上記実施形態では、パソコン４００が、オーディオ装置１００，１００’に接続した場合に、オーディオ装置に接続される装置間でデータの処理を行ったが、オーディオ装置が内蔵メモリや内蔵ＨＤＤを備えるようにして、オーディオ装置が備えるメモリとオーディオ装置に接続される装置との少なくとも二つの間でデータの処理を行うようにしてもよい。
【００５８】
また、その他、具体的な細部構成等についても適宜変更可能である。
【図面の簡単な説明】
【００５９】
【図１】本発明の第１の実施形態に係るオーディオ装置の構成図である。
【図２】図１の切換部の構成図である。
【図３】図１のＤＳＰの構成図である。
【図４】第１の実施形態における制御の切り換え処理を説明するためのフローチャートである。
【図５】本発明の第２の実施形態に係るオーディオ装置の構成図である。
【図６】図５のＵＳＢハブの構成図である。
【図７】第３の実施形態における制御の切り換え処理を説明するためのフローチャートである。
【符号の説明】
【００６０】
１０      ＵＳＢハブ
１０’    ＵＳＢハブ
１１’    スイッチ
１２’    スイッチ
１３’    スイッチ
１４’    スイッチ
２０      インタフェース
３０      切換部
３１      スイッチ
３２      スイッチ
４０      デジタルシグナルプロセッサ（ＤＳＰ）
４１      ＵＳＢホストコントローラ
４２      ファイルシステム
４３      デコーダ・エンコーダ
４４      サンプリング周波数変換部（ＳＲＣ）
４５      オーディオインタフェース
５０      Ｄ／Ａ変換部
６０      スピーカ
７０      ホストマイコン
１００    オーディオ装置
２００    第１の記憶媒体
３００    第２の記憶媒体
４００    パソコン
【図１】
2009181684.tif 000003
【図２】
2009181684.tif 000004
【図３】
2009181684.tif 000005
【図４】
2009181684.tif 000006
【図５】
2009181684.tif 000007
【図６】
2009181684.tif 000008
【図７】
2009181684.tif 000009